(57)【要約】【課題】  鼻パッドを具備しないと共に、後方に過度に引っ張られることなく適切な装着状態を維持することのできる眼鏡フレームを提供する。【解決手段】  眼鏡フレーム１００は、鼻パッドを具備しない眼鏡フレームであって、左右一対のストレートテンプル１と、ストレートテンプル１に取り付けられた係止部材２とを備えている。係止部材２は、ストレートテンプル１に対して上方又は下方に延出した延出部材２１を具備すると共に、ストレートテンプル１に対して前後方向に位置調整可能に構成されている。また、好ましい構成として、眼鏡フレーム１００の係止部材２は、延出部材２１の後方に位置し、耳の裏側に当接可能な耳当て部材２３を具備する。【選択図】  図１
0003115560.tif 000002
【実用新案登録請求の範囲】
【請求項１】
鼻パッドを具備しない眼鏡フレームであって、
左右一対のストレートテンプルと、
前記ストレートテンプルに取り付けられた係止部材とを備え、
前記係止部材は、前記ストレートテンプルに対して上方又は下方に延出した延出部材を具備すると共に、前記ストレートテンプルに対して前後方向に位置調整可能に構成されていることを特徴とする眼鏡フレーム。
【請求項２】
前記係止部材は、前記延出部材の後方に位置し、耳の裏側に当接可能な耳当て部材を具備することを特徴とする請求項１に記載の眼鏡フレーム。
【請求項３】
前記耳当て部材は、
耳の裏側に沿うように下方に湾曲した湾曲部材と、
前記湾曲部材の前方において軸部材を介して前記湾曲部材に揺動可能に取り付けられ、耳の裏側に当接可能な耳当接部材と、
前記湾曲部材の前記耳当接部材が取り付けられた部位より基端側に位置する部位と、前記耳当接部材の基端部とを連結する可撓性の絡み防止部材とを具備することを特徴とする請求項２に記載の眼鏡フレーム。
【請求項４】
前記延出部材と前記耳当て部材とは別体に構成されており、それぞれ前記ストレートテンプルに対して前後方向に独立して位置調整可能に構成されていることを特徴とする請求項２又は３に記載の眼鏡フレーム。
【請求項５】
前記ストレートテンプルの先端側で分岐して前記ストレートテンプルに併設され、先端部が前記延出部材の後方に位置し耳の裏側に沿うように下方に湾曲した左右一対のテンプルを備えることを特徴とする請求項１に記載の眼鏡フレーム。
【請求項６】
鼻パッドを具備しない眼鏡フレームであって、
左右一対のストレートテンプルと、
前記ストレートテンプルの先端側で分岐して前記ストレートテンプルに併設され、先端部が耳の裏側に沿うように下方に湾曲した左右一対のテンプルと、
前記テンプルに取り付けられた係止部材とを備え、
前記係止部材は、前記テンプルに対して上方又は下方に延出した延出部材を具備すると共に、前記テンプルに対して前後方向に位置調整可能に構成されていることを特徴とする眼鏡フレーム。
【請求項７】
鼻パッドを具備しない眼鏡フレームであって、
先端部が耳の裏側に沿うように下方に湾曲した左右一対のテンプルと、
前記テンプルの先端部の前方において軸部材を介して前記テンプルに揺動可能に取り付けられ、耳の裏側に当接可能な耳当接部材と、
前記テンプルの前記耳当接部材が取り付けられた部位より基端側に位置する部位と、前記耳当接部材の基端部とを連結する可撓性の絡み防止部材と、
前記絡み防止部材の前方に位置し、前記テンプルに取り付けられた係止部材とを備え、
前記係止部材は、前記テンプルに対して上方又は下方に延出した延出部材を具備すると共に、前記テンプルに対して前後方向に位置調整可能に構成されていることを特徴とする眼鏡フレーム。
【考案の詳細な説明】
【技術分野】
【０００１】
本考案は、鼻パッドを具備しない眼鏡フレームに関し、特に、後方に過度に引っ張られることなく安定した装着状態を維持することのできる眼鏡フレームに関する。
【背景技術】
【０００２】
眼鏡フレームは、一般的に、前枠、前枠に取り付けられた鼻パッド、前枠の左右両端部からそれぞれ後方に延出したテンプル、前枠とテンプルとの間に介在し前枠に対してテンプルを開閉可能とする丁番等の各種フレーム部材が連結されて構成されている。そして、前枠にレンズが嵌め込まれることにより眼鏡が構成される。
【０００３】
上記フレーム部材の内、鼻パッドは、眼鏡の総重量の大半を支持する機能を奏する。このため、眼鏡装着者の鼻部における鼻パッドが接触する接触面には比較的大きな荷重が掛かることになり、長時間眼鏡を装着していると前記接触面が痛くなったり、眼鏡を外した後に前記接触面に圧迫痕が残り元の状態に回復するまでに時間を要するといった問題がある。また、特に女性の場合には、前記接触面で汗をかくことにより化粧が剥がれ易いため、眼鏡を着脱する度に化粧直しをしなければならないというような問題もある。このような問題を解決するために、フレーム部材として鼻パッドを具備しない眼鏡フレームの開発が望まれてきた。
【０００４】
従来、鼻パッドを具備しない眼鏡フレームとして、例えば、特許文献１、２に記載の眼鏡フレーム（眼鏡）が提案されている。しかしながら、特許文献１、２においては、鼻パッドを不要とするために、専ら眼鏡の重心を後方へ移動させることを目的とした提案がなされているに過ぎない。換言すれば、眼鏡の重心を後方へ移動させることにより、その重心位置によっては、眼鏡を装着し続けている内に、前枠が顔部に当接するほど眼鏡が後方に過度に引っ張られてしまうおそれがあるにも関わらず、この問題について特許文献１、２には何ら解決策が提案されていない。
【特許文献１】特開平１０−７３７８９号公報
【特許文献２】特開２００４−３５４４９１号公報
【考案の開示】
【考案が解決しようとする課題】
【０００５】
本考案は、斯かる従来技術の問題点を解決するべくなされたものであり、鼻パッドを具備しないと共に、後方に過度に引っ張られることなく適切な装着状態を維持することのできる眼鏡フレームを提供することを課題とする。
【課題を解決するための手段】
【０００６】
前記課題を解決するべく、本考案の考案者らは鋭意検討した結果、先ず最初に、眼鏡フレームを構成するテンプルとして、所謂ストレートテンプル（先端部が下方に湾曲していない或いは湾曲の少ないテンプル）を適用すれば、眼鏡フレームを後方に引っ張る力が作用するため、鼻パッドを不要としても眼鏡フレームの前枠が下方にずれ落ちることがないと共に、デザイン性の観点からも好ましいことを見出した。上記ストレートテンプルは、一般的には、眼鏡フレーム装着者（以下、適宜「装着者」という）の顔部側面に沿うように（換言すれば、装着者の耳の裏側から後頭部に向かうように）、テンプル先端側を外方に向けて凸状に湾曲させると共に、顔部側面にバネ力（押圧力）を付与するようにテンプル全体に回動方向へのバネ性を付与している。このバネ力によって、眼鏡フレームは、装着者の顔部に保持されると共に、後方に引っ張られることになる。
【０００７】
しかしながら、眼鏡フレームのテンプルをストレートテンプルにしただけでは、前述したのと同様に、ストレートテンプルに付与するバネ性の程度によっては、眼鏡フレームを装着し続けている内に、前枠が顔部に当接するほど後方に過度に引っ張られてしまうおそれがある。そこで、本考案の考案者らは、さらに鋭意検討した結果、前枠が顔部に当接するほど過度に後方に引っ張られないようにするための構成を見出し、本考案を完成させたものである。
【０００８】
すなわち、本考案は、鼻パッドを具備しない眼鏡フレームであって、左右一対のストレートテンプルと、前記ストレートテンプルに取り付けられた係止部材とを備え、前記係止部材は、前記ストレートテンプルに対して上方又は下方に延出した延出部材を具備すると共に、前記ストレートテンプルに対して前後方向に位置調整可能に構成されていることを特徴とする眼鏡フレームを提供するものである。
【０００９】
本考案に係る眼鏡フレームは、ストレートテンプルを備えるため、当該ストレートテンプルに付与されたバネ性によってバネ力が作用する結果、眼鏡フレームは、眼鏡フレーム装着者の顔部に保持されると共に、後方に引っ張られることになる。これにより、鼻パッドを不要としても眼鏡フレームの前枠が下方にずれ落ちることがないように構成することが可能である。
【００１０】
また、本考案に係る眼鏡フレームは、ストレートテンプルに取り付けられた係止部材を備え、この係止部材がストレートテンプルに対して上方又は下方に延出した延出部材を具備すると共に、ストレートテンプルに対して前後方向に位置調整可能に構成されている。従って、前枠と装着者の顔部とが適切な離間距離を隔てて対向するように眼鏡フレームを装着した状態において、延出部材が装着者の耳の前端部に当接するように、延出部材（係止部材）の位置を前後方向に調整して位置決めすれば、延出部材が装着者の耳の前端部に係合することによって眼鏡フレームは係止されるため、上記の装着状態（前枠と装着者の顔部とが適切な離間距離を隔てて対向する装着状態）よりもさらに後方に引っ張られることがない。
【００１１】
このように、本考案に係る眼鏡フレームによれば、鼻パッドを具備しないために、鼻パッドによる圧迫痕の残存や化粧落ちの問題を解決できると共に、後方に過度に引っ張られることなく適切な装着状態を維持することが可能である。
【００１２】
好ましくは、前記係止部材は、前記延出部材の後方に位置し、耳の裏側に当接可能な耳当て部材を具備するように構成される。
【００１３】
斯かる好ましい構成によれば、前述のように、係止部材（延出部材）によって眼鏡フレームが過度に後方に引っ張られることがないことに加え、係止部材が耳の裏側に当接可能な耳当て部材を具備するため、この耳当て部材により眼鏡フレームが前方側にずれることが抑止され、より一層適切な装着状態を維持することが可能である。
【００１４】
さらに好ましくは、前記耳当て部材は、耳の裏側に沿うように下方に湾曲した湾曲部材と、前記湾曲部材の前方において軸部材を介して前記湾曲部材に揺動可能に取り付けられ、耳の裏側に当接可能な耳当接部材と、前記湾曲部材の前記耳当接部材が取り付けられた部位より基端側に位置する部位と、前記耳当接部材の基端部とを連結する可撓性の絡み防止部材とを具備するように構成される。
【００１５】
斯かる好ましい構成によれば、眼鏡フレームを装着した状態で、眼鏡フレームの前枠が下方にずれ落ちようとすると、逆にストレートテンプルの先端側はずれ上がろうとし、これに伴い湾曲部材に対して揺動可能に取り付けられた耳当接部材も上方へ移動しようとする。そして、耳当接部材が上方へ移動しようとする際、軸部材を中心として耳当接部材は前回り方向へ回転しようとする。このとき、耳当接部材の基端部が耳の裏側を押圧する力が大きくなり、その結果、耳当接部材と耳の裏側との相対的な移動が阻止され、ストレートテンプルの先端側のずれ上がりが阻止される。このようにして、眼鏡フレームのずれ落ちを防止することができる。また、前記好ましい構成によれば、可撓性の絡み防止部材が、湾曲部材の耳当接部材が取り付けられた部位より基端側に位置する部位と、耳当接部材の基端部とを連結するように取り付けられており、眼鏡フレームを外す際に、ストレートテンプルを上方へ持ち上げても、湾曲部材と耳当接部材の基端部との間が絡み防止部材で塞がれているため、髪の毛が湾曲部材と耳当接部材との取り付け部位に入り込み難く、これに絡まることが抑制される。さらに、絡み防止部材は、可撓性を有しており、耳当接部材の揺動を阻害することがないため、上記眼鏡フレームのずれ落ち抑制の機能を阻害することもない。以上のように、前記好ましい構成の耳当て部材によれば、眼鏡フレームが前方側にずれることがより一層抑止され、より一層適切な装着状態を維持することが可能であると共に、眼鏡フレームを外す際の髪の毛の絡みを抑制することも可能である。
【００１６】
また、好ましくは、前記延出部材と前記耳当て部材とは別体に構成されており、それぞれ前記ストレートテンプルに対して前後方向に独立して位置調整可能に構成される。
【００１７】
斯かる好ましい構成によれば、延出部材と耳当て部材とを前後方向に独立して位置調整可能であるため、延出部材と耳当て部材との前後方向の離間距離を装着者の耳の寸法（延出部材が当接する耳の前端部と、耳当て部材が当接する耳の裏側との距離）に合わせて調整することができ、各装着者の耳の寸法に応じた適切な装着状態を得ることが可能である。
【００１８】
また、好ましくは、前記ストレートテンプルの先端側で分岐して前記ストレートテンプルに併設され、先端部が前記延出部材の後方に位置し耳の裏側に沿うように下方に湾曲した左右一対のテンプルを備える構成とされる。
【００１９】
斯かる好ましい構成によれば、ストレートテンプルの先端側で分岐してストレートテンプルに併設された左右一対のテンプルを備える。そして、前記左右一対のテンプルの先端部が、ストレートテンプルに取り付けられた延出部材の後方に位置すると共に、耳の裏側に沿うように下方に湾曲している。従って、前記左右一対のテンプルの先端部を耳に掛けて装着する（この際、ストレートテンプルは装着者の顔部側面を押圧することになる）ことにより、前述した係止部材が耳当て部材を具備する好ましい構成と同様に、ストレートテンプルに取り付けられた係止部材が具備する延出部材によって眼鏡フレームの後方への移動が阻止されると共に、ストレートテンプルに併設されたテンプルの先端部が耳の裏側に当接して、眼鏡フレームの前方側へのずれを抑止することが可能である。
【００２０】
なお、前記課題を解決するべく、本考案は、鼻パッドを具備しない眼鏡フレームであって、左右一対のストレートテンプルと、前記ストレートテンプルの先端側で分岐して前記ストレートテンプルに併設され、先端部が耳の裏側に沿うように下方に湾曲した左右一対のテンプルと、前記テンプルに取り付けられた係止部材とを備え、前記係止部材は、前記テンプルに対して上方又は下方に延出した延出部材を具備すると共に、前記テンプルに対して前後方向に位置調整可能に構成されていることを特徴とする眼鏡フレームとしても提供される。
【００２１】
本考案に係る眼鏡フレームは、前述した眼鏡フレームが備える係止部材の取付位置を、ストレートテンプルからこれに併設されたテンプルに変更した構成に相当する。斯かる考案によっても、左右一対のテンプルの先端部を耳に掛けて装着する（この際、ストレートテンプルは装着者の顔部側面を押圧することになる）ことにより、前述した係止部材が耳当て部材を具備する好ましい構成と同様に、テンプルに取り付けられた係止部材が具備する延出部材によって眼鏡フレームの後方への移動が阻止されると共に、テンプルの先端部が耳の裏側に当接して、眼鏡フレームの前方側へのずれを抑止することが可能である。
【００２２】
また、前記課題を解決するべく、本考案は、鼻パッドを具備しない眼鏡フレームであって、先端部が耳の裏側に沿うように下方に湾曲した左右一対のテンプルと、前記テンプルの先端部の前方において軸部材を介して前記テンプルに揺動可能に取り付けられ、耳の裏側に当接可能な耳当接部材と、前記テンプルの前記耳当接部材が取り付けられた部位より基端側に位置する部位と、前記耳当接部材の基端部とを連結する可撓性の絡み防止部材と、前記絡み防止部材の前方に位置し、前記テンプルに取り付けられた係止部材とを備え、前記係止部材は、前記テンプルに対して上方又は下方に延出した延出部材を具備すると共に、前記テンプルに対して前後方向に位置調整可能に構成されていることを特徴とする眼鏡フレームとしても提供される。
【００２３】
斯かる考案によれば、前述した好ましい構成と同様に、眼鏡フレームを装着した状態で、眼鏡フレームの前枠が下方にずれ落ちようとすると、逆にテンプルの先端側はずれ上がろうとし、これに伴いテンプルに対して揺動可能に取り付けられた耳当接部材も上方へ移動しようとする。そして、耳当接部材が上方へ移動しようとする際、軸部材を中心として耳当接部材は前回り方向へ回転しようとする。このとき、耳当接部材の基端部が耳の裏側を押圧する力が大きくなり、その結果、耳当接部材と耳の裏側との相対的な移動が阻止され、テンプルの先端側のずれ上がりが阻止される。このようにして、眼鏡フレームのずれ落ちを防止することができる。また、本考案によれば、可撓性の絡み防止部材が、テンプルの耳当接部材が取り付けられた部位より基端側に位置する部位と、耳当接部材の基端部とを連結するように取り付けられており、眼鏡フレームを外す際に、テンプルを上方へ持ち上げても、テンプルと耳当接部材の基端部との間が絡み防止部材で塞がれているため、髪の毛がテンプルと耳当接部材との取り付け部位に入り込み難く、これに絡まることが抑制される。さらに、絡み防止部材は、可撓性を有しており、耳当接部材の揺動を阻害することがないため、上記眼鏡フレームのずれ落ち抑制の機能を阻害することもない。以上のように、本考案によれば、眼鏡フレームが前方側にずれることを抑止することができるため、鼻パッドを不要とすることが可能である。
【００２４】
その一方で、耳当接部材の形状等（例えば、眼鏡フレームのずれ落ち抑制機能を高めるべく、耳当接部材が耳の裏側からさらに耳の下側まで延びるような形状である場合等）によっては、眼鏡フレームを装着し続けている内に、前枠が顔部に当接するほど後方に過度に引っ張られてしまうおそれがある。しかしながら、本考案によれば、テンプルに取り付けられた係止部材を備え、この係止部材がテンプルに対して上方又は下方に延出した延出部材を具備すると共に、テンプルに対して前後方向に位置調整可能に構成されている。従って、前枠と装着者の顔部とが適切な離間距離を隔てて対向するように眼鏡フレームを装着した状態において、延出部材が装着者の耳の前端部に当接するように、延出部材（係止部材）の位置を前後方向に調整して位置決めすれば、延出部材によって眼鏡フレームは係止されるため、上記の装着状態（前枠と装着者の顔部とが適切な離間距離を隔てて対向する装着状態）よりもさらに後方に引っ張られることがない。
【００２５】
このように、本考案に係る眼鏡フレームによっても、鼻パッドを具備しないために、鼻パッドによる圧迫痕の残存や化粧落ちの問題を解決できると共に、後方に過度に引っ張られることなく適切な装着状態を維持することが可能である。
【００２６】
なお、本明細書において、「基端部」及び「基端側」とは、本考案の眼鏡フレームを構成する所定部材の前枠側の「端部」及び「端部方向」を意味し、「先端部」及び「基端側」とは、前記前枠側とは反対側の「端部」及び「端部方向」を意味する。
【考案の効果】
【００２７】
以上に説明したように、本考案によれば、鼻パッドを具備しないと共に、後方に過度に引っ張られることなく適切な装着状態を維持することのできる眼鏡フレームを提供することが可能である。
【考案を実施するための最良の形態】
【００２８】
以下、添付図面を参照しつつ、本考案の実施形態について説明する。
＜第１実施形態＞
図１は、本考案の第１実施形態に係る眼鏡フレームの概略構成を示す図であり、図１（ａ）は側面図を、図１（ｂ）は平面図を示す。図１に示すように、本実施形態に係る眼鏡フレーム１００は、鼻パッドを具備しない眼鏡フレームであって、左右一対のストレートテンプル１と、ストレートテンプル１に取り付けられた係止部材２とを備えている。
【００２９】
ストレートテンプル１は、先端部が下方に湾曲していない或いは湾曲の少ないテンプルであり、先端側が外方に向けて凸状に湾曲していると共に、装着者の顔部側面にバネ力（押圧力）を付与するように、テンプル１全体に回動方向へのバネ性が付与されている。本実施形態に係るストレートテンプル１は、金属材料からなり、後述する係止部材本体２２の挿通孔に挿通可能なように、その断面寸法が前記係止部材本体２２の挿通孔の断面寸法よりも若干小さくなるように形成されている。本実施形態に係るストレートテンプル１には、側方に（本実施形態では外方に）突出した少なくとも１つの突出部１１が設けられている。そして、ストレートテンプル１の突出部１１が設けられた側とは反対側の側面（本実施形態では内側面）から突出部１１の頂部までの距離が、後述する係止部材本体２２の挿通孔の内外方向の距離よりも若干大きくなるように形成されている。
【００３０】
係止部材２は、ストレートテンプル１に対して上方又は下方（本実施形態では下方）に延出した延出部材２１を具備すると共に、ストレートテンプル１に対して前後方向に位置調整可能に構成されている。より具体的に説明すれば、本実施形態に係る係止部材２は、ストレートテンプル１を挿通するための挿通孔が内部に設けられた筒状の係止部材本体２２を具備しており、この係止部材本体２２の先端側から下方に向けて延出部材２１が延出された構成とされている。
【００３１】
本実施形態に係る係止部材本体２２の挿通孔の側部（本実施形態では外側部）には、ストレートテンプル１の突出部１１を係止するための係止孔２２１が長手方向に沿って複数設けられている。本実施形態に係る係止部材本体２２は、樹脂材料等の可撓性を有する材料からなっている。これにより、係止部材本体２２をストレートテンプル１に沿って前後方向に移動させる際、ストレートテンプル１の突出部１１が係止部材本体２２の挿通孔に設けられた係止孔２２１に至るまでの間は、係止部材本体２２が若干撓み（係止部材本体２２の挿通孔が若干拡がり）ながら移動することになる。そして、係止部材本体２２の挿通孔に設けられた係止孔２２１の何れかにストレートテンプル１の突出部１１が入り込む位置において、当該係止孔２２１と突出部１１とが係合し、この位置で係止部材本体２２（係止部材２ひいては延出部材２１）が係止されることになる。以上の構成により、係止部材２は、ストレートテンプル１に対して前後方向に位置調整可能であり、所望する位置で係止可能とされている。
【００３２】
なお、本実施形態では、係止部材２をストレートテンプル１に対して前後方向に位置調整可能とする構成として、係止部材２（係止部材本体２２）にストレートテンプル１を挿通するための挿通孔を設けると共に、ストレートテンプル１に突出部１１を設け、係止部材２の前記挿通孔に係止孔２２１を設けて、突出部１１と係止孔２２１とを係合させる構成を採用した。しかし、本考案に係る眼鏡フレームとしては、これに限るものではなく、係止部材２をストレートテンプル１に対して前後方向に位置調整可能である限りにおいて、種々の公知の構成を採用することが可能である。また、係止部材２（特に延出部材２１）を塑性変形可能な可撓性材料から形成し、延出部材２１に対してストレートテンプル１の前後方向に沿った力を付加して塑性変形させることによって、延出部材２１（特に延出部材２１の下端部）とストレートテンプル１との前後方向の相対的位置関係を調整する構成を採用することも可能であり、本考案における「位置調整可能」とは、上記のような延出部材２１を塑性変形させる構成をも含む概念である。
【００３３】
以上に説明したように、本実施形態に係る眼鏡フレーム１００は、ストレートテンプル１を備えるため、ストレートテンプル１に付与されたバネ性によってバネ力が作用する結果、眼鏡フレーム１００は、眼鏡フレーム１００装着者の顔部に保持されると共に、後方に引っ張られることになる。これにより、鼻パッドを不要としても眼鏡フレーム１００が前方側にずれることがない。また、本実施形態に係る眼鏡フレーム１００は、ストレートテンプル１に取り付けられた係止部材２を備え、この係止部材２がストレートテンプル１に対して下方に延出した延出部材２１を具備すると共に、ストレートテンプル１に対して前後方向に位置調整可能に構成されている。従って、眼鏡フレーム１００を構成する前枠と装着者の顔部とが適切な離間距離を隔てて対向するように眼鏡フレーム１００を装着した状態において、延出部材２１が装着者の耳の前端部に当接するように、延出部材２１（係止部材２）の位置を前後方向に調整して位置決めすれば、延出部材２１によって眼鏡フレーム１００は係止されるため、上記の装着状態（前枠と装着者の顔部とが適切な離間距離を隔てて対向する装着状態）よりもさらに後方に引っ張られることがない。このように、本実施形態に係る眼鏡フレーム１００によれば、鼻パッドを具備しないために、鼻パッドによる圧迫痕の残存や化粧落ちの問題を解決できると共に、後方に過度に引っ張られることなく適切な装着状態を維持することが可能である。
【００３４】
なお、本実施形態に係る眼鏡フレーム１００は、好ましい構成として、図１に示すように、係止部材２が、延出部材２１の後方に位置し、耳の裏側に当接可能な耳当て部材２３を具備している。より具体的に説明すれば、本実施形態に係る耳当て部材２３は、係止部本体２２の後端側から下方に向けて延出され、少なくともその前面が耳の裏側に当接可能なように後方に向けて凸状に湾曲した形状とされている。この耳当て部材２３を具備する好ましい構成を採用していることにより、前述のように、延出部材２１によって眼鏡フレーム１００が過度に後方に引っ張られることがないことに加え、耳当て部材２３により眼鏡フレーム１００が前方側にずれることが抑止され、より一層適切な装着状態を維持することが可能である。
【００３５】
＜第２実施形態＞
なお、本考案に係る耳当て部材としては、図１に示す構成の耳当て部材２３に限るものではなく、例えば、図２に示すような耳当て部材２３Ａを採用することも可能である。図２は、本考案の第２実施形態に係る眼鏡フレーム１００Ａが具備する耳当て部材２３Ａの概略構成を示す側面図である。なお、本実施形態に係る眼鏡フレーム１００Ａについては、耳当て部材２３Ａの構成のみが第１実施形態と異なり、その他の構成については第１実施形態と同様の構成であるため、その詳細な説明は省略する。
【００３６】
図２に示すように、本実施形態に係る眼鏡フレーム１００Ａの耳当て部材２３Ａは、耳の裏側に沿うように下方に湾曲した湾曲部材２３１と、湾曲部材２３１の前方においてピン又はネジ等の軸部材２３２を介して湾曲部材２３１に揺動可能に取り付けられ、耳の裏側に当接可能な耳当接部材２３３と、湾曲部材２３１の耳当接部材２３３が取り付けられた部位２３１ａより基端側に位置する部位２３１ｂと、耳当接部材２３３の基端部２３３ａとを連結する可撓性の絡み防止部材２３４とを具備している。なお、図２に示す例では、耳当接部材２３３、部位２３１ｂ及び絡み防止部材２３４とは一体的に形成されている。また、湾曲部材２３１の基端部（図２の紙面左側端部）は、前述した図１に示す第１実施形態の耳当て部材２３と同様に、係止部材本体２２の後端側から延出する構成とされている。
【００３７】
本実施形態に係る眼鏡フレーム１００Ａは、図２に示す耳当て部材２３Ａを採用しているため、眼鏡フレーム１００Ａを装着した状態で、眼鏡フレーム１００Ａの前枠が下方にずれ落ちようとすると、逆にストレートテンプル１の先端側はずれ上がろうとし、これに伴い湾曲部材２３１に対して揺動可能に取り付けられた耳当接部材２３３も上方へ移動しようとする。そして、耳当接部材２３３が上方へ移動しようとする際、軸部材２３２を中心として耳当接部材２３３は前回り方向へ回転しようとする。このとき、耳当接部材２３３の基端部２３３ａが耳の裏側を押圧する力が大きくなり、その結果、耳当接部材２３３と耳の裏側との相対的な移動が阻止され、ストレートテンプル１の先端側のずれ上がりが阻止される。このようにして、眼鏡フレーム１００Ａのずれ落ちを防止することができる。また、可撓性の絡み防止部材２３４が、湾曲部材２３１の耳当接部材２３３が取り付けられた部位２３１ａより基端側に位置する部位２３１ｂと、耳当接部材２３３の基端部２３３ａとを連結するように取り付けられており、眼鏡フレーム１００Ａを外す際に、ストレートテンプル１を上方へ持ち上げても、湾曲部材２３１と耳当接部材２３３の基端部２３３ａとの間が絡み防止部材２３４で塞がれているため、髪の毛が図２の矢符Ｘの方向から湾曲部材２３１と耳当接部材２３３との取り付け部位２３３ｂに入り込み難く、これに絡まることが抑制される。さらに、絡み防止部材２３４は、可撓性を有しており、耳当接部材２３３の揺動を阻害することがないため、眼鏡フレーム１００Ａのずれ落ち抑制の機能を阻害することもない。以上のように、図２に示す耳当て部材２３Ａを採用することにより、眼鏡フレーム１００Ａが前方側にずれることがより一層抑止され、より一層適切な装着状態を維持することが可能であると共に、眼鏡フレーム１００Ａを外す際の髪の毛の絡みを抑制することも可能である。
【００３８】
なお、以上に説明した耳当て部材２３Ａの構成は、本考案の考案者らが過去に出願し、特許（特許第３５２６５７１号）を取得した眼鏡フレームの先端部の構成と略同じであるため、これ以上の詳細な説明は省略する。
【００３９】
＜第３実施形態＞
以上に説明した第１及び第２実施形態では、係止部材２の延出部材２１及び耳当て部材２３（又は２３Ａ）が、係止部材本体２２の先端側及び後端側からそれぞれ下方に延出されている構成について説明した。換言すれば、第１及び第２実施形態に係る延出部材２１及び耳当て部材２３（又は２３Ａ）は、係止部材本体２２を介して一体的に形成されている構成である。しかしながら、本考案はこれに限るものではなく、例えば、図３に示すように、両者を別体にし、それぞれ独立してストレートテンプル１に対して位置調整可能に構成することも可能である。
【００４０】
図３は、本考案の第３実施形態に係る眼鏡フレーム１００Ｂの概略構成を示す側面図である。図３に示すように、本実施形態に係る眼鏡フレーム１００Ｂの係止部材２Ａは、第１実施形態に係る係止部材２と同様に、ストレートテンプル１を挿通するための挿通孔が内部に設けられた筒状の係止部材本体を具備している。ただし、本実施形態に係る係止部材２Ａは、前後にそれぞれ配置された２つの係止部材本体２２Ａ、２２Ｂ（各係止部材本体２２Ａ、２２Ｂの内部にはストレートテンプル１を挿通するための挿通孔が設けられている）を具備する点で、第１実施形態と異なる。そして、前方に配置された係止部材本体２２Ａから下方に向けて延出部材２１Ａが延出され、後方に配置された係止部材本体２２Ｂから下方に向けて耳当て部材２３Ｂが延出された構成とされている。なお、本実施形態に係る延出部材２１Ａ及び耳当て部材２３Ｂの構成は、それぞれ第１実施形態と同様の構成であるため（耳当て部材２３Ｂを第２実施形態の耳当て部材２３Ａと同様の構成にすることも可能である）、その詳細な説明は省略する。
【００４１】
本実施形態に係る係止部材本体２２Ａ、２２Ｂの挿通孔の側部には、第１実施形態と同様に、ストレートテンプル１の突出部１１を係止するための係止孔２２１が長手方向に沿って複数設けられている。そして、第１実施形態と同様に、係止部材本体２２Ａ、２２Ｂをストレートテンプル１に沿って前後方向にそれぞれ移動させ、突出部１１と係止孔２２１とを係合させることにより、所望する位置で係止部材本体２２Ａ、２２Ｂを係止可能である。換言すれば、係止部材本体２２Ａと一体化された延出部材２１Ａと、係止部材本体２２Ｂと一体化された耳当て部材２３Ｂとを、それぞれ独立してストレートテンプル１に対して位置調整可能である。なお、延出部材２１Ａと耳当て部材２３Ｂとをストレートテンプル１に対して前後方向に位置調整可能とする構成としては、本実施形態で説明した構成に限られるものではなく、他の種々の公知の構成を採用したり、或いは、延出部材２１Ａを塑性変形可能な可撓性材料から形成したりしても良い点については、第１実施形態と同様である。
【００４２】
本実施形態に係る眼鏡フレーム１００Ｂは、延出部材２１Ａと耳当て部材２３Ｂとを前後方向に独立して位置調整可能であるため、延出部材２１Ａと耳当て部材２３Ｂとの前後方向の離間距離を装着者の耳の寸法（延出部材２１Ａが当接する耳の前端部と、耳当て部材２３Ｂが当接する耳の裏側との距離）に合わせて調整することができ、各装着者の耳の寸法に応じた適切な装着状態を得ることが可能である。
【００４３】
＜第４実施形態＞
前述した第１実施形態では、眼鏡フレーム１００が前方側にずれることを抑止するため、係止部材２が耳当て部材２３を具備する構成について説明した。しかしながら、本考案はこれに限るものではなく、眼鏡フレームが前方側にずれることを抑止するために、図４に示すような構成を採用することも可能である。
【００４４】
図４は、本考案の第４実施形態に係る眼鏡フレーム１００Ｃの概略構成を示す平面図である。図４に示すように、本実施形態に係る眼鏡フレーム１００Ｃは、第１実施形態で説明したのと略同様の構成を有するストレートテンプル１の他に、眼鏡フレームで一般的に採用されている通常のテンプル１Ａが併設された構成とされている。より具体的に説明すれば、眼鏡フレーム１００Ｃは、左右一対のストレートテンプル１の先端側（分岐点１２）でそれぞれ分岐してストレートテンプル１に併設された左右一対のテンプル１Ａを備えている。ここで、ストレートテンプル１には、第１実施形態と同様に、延出部材２１及び係止部材本体２２を具備する係止部材２Ｂ（ただし、第１実施形態と異なり、係止部材２Ｂは耳当て部材２３を具備しない）が取り付けられている。そして、テンプル１Ａの先端部１Ａａが、ストレートテンプル１に取り付けられた延出部材２１の後方に位置すると共に、耳の裏側に沿うように下方（図４の紙面に垂直な奥行き方向）に湾曲している。
【００４５】
本実施形態に係る眼鏡フレーム１００Ｃは、以上に説明した構成を有するため、左右一対のテンプル１Ａの先端部１Ａａを耳に掛けて装着する（この際、ストレートテンプル１は装着者の顔部側面を押圧することになる）ことにより、ストレートテンプル１に取り付けられた係止部材２Ｂが具備する延出部材２１によって眼鏡フレーム１００Ｃの後方への移動が阻止されると共に、ストレートテンプル１に併設されたテンプル１Ａの先端部１Ａａが耳の裏側に当接して、眼鏡フレーム１００Ｃの前方側へのずれを抑止することが可能である。
【００４６】
なお、本実施形態に係る眼鏡フレーム１００Ｃが備えるテンプル１Ａとしては、前述のように、先端部１Ａａが耳の裏側に沿うように単純に下方に湾曲した一般的なテンプルの形態を採用することができる他、図２を参照して説明した耳当て部材２３Ａと同様の構成とされた先端部を有するテンプルを採用することも可能である。
【００４７】
また、本実施形態に係る眼鏡フレーム１００Ｃが備える係止部材Ｂの取付位置を、ストレートテンプル１からこれに併設されたテンプル１Ａに変更する構成を採用することも可能である。
【００４８】
＜第５実施形態＞
本考案の第５実施形態に係る眼鏡フレームは、前述した第１〜第４実施形態に係る眼鏡フレームと異なり、ストレートテンプルを具備しない構成であり、ストレートテンプルの代わりに、先端部が図２を参照して説明した耳当て部材２３Ａと同様の構成とされた左右一対のテンプルを備えている。そして、当該テンプルに図４を参照して説明した係止部材２Ｂと同様の構成（すなわち、耳当て部材を具備しない構成）を有する係止部材が取り付けられている構成である。
【００４９】
図５は、本考案の第５実施形態に係る眼鏡フレーム１００Ｄが具備するテンプル先端部の概略構成を示す側面図である。なお、図５においては、図２に示す耳当て部材２３Ａが具備する部材と略同様の構成を有する部材に対して便宜上同じ符号を付している。図５に示すように、本実施形態に係る眼鏡フレーム１００Ｄは、鼻パッドを具備しない眼鏡フレームであって、先端部２３１Ａが耳の裏側に沿うように下方に湾曲した左右一対のテンプルと、テンプルの先端部２３１Ａの前方において軸部材２３２を介して前記テンプルに揺動可能に取り付けられ、耳の裏側に当接可能な耳当接部材２３３と、前記テンプルの耳当接部材２３３が取り付けられた部位２３１ａより基端側に位置する部位２３１ｂと、耳当接部材２３３の基端部２３３ａとを連結する可撓性の絡み防止部材２３４と、絡み防止部材２３４の前方に位置し、前記テンプルに取り付けられた係止部材（図４に示す係止部材２Ｂと同様の構成。以下、本実施形態に係る係止部材についても符号２Ｂで表現する）とを備えている。
【００５０】
そして、係止部材２Ｂは、前記テンプルに対して上方又は下方に延出した延出部材（図１又は図４に示す延出部材２１と同様の構成。以下、本実施形態に係る延出部材についても符号２１で表現する）を具備すると共に、前記テンプルに対して前後方向に位置調整可能に構成されている。
【００５１】
本実施形態に係る眼鏡フレーム１００Ｄによっても、第２実施形態に係る眼鏡フレーム１００Ａと同様に、眼鏡フレーム１００Ｄを装着した状態で、眼鏡フレーム１００Ｄの前枠が下方にずれ落ちようとすると、逆にテンプルの先端側はずれ上がろうとし、これに伴いテンプルに対して揺動可能に取り付けられた耳当接部材２３３も上方へ移動しようとする。そして、耳当接部材２３３が上方へ移動しようとする際、軸部材２３２を中心として耳当接部材２３３は前回り方向へ回転しようとする。このとき、耳当接部材２３３の基端部２３３ａが耳の裏側を押圧する力が大きくなり、その結果、耳当接部材２３３と耳の裏側との相対的な移動が阻止され、テンプルの先端側のずれ上がりが阻止される。このようにして、眼鏡フレーム１００Ｄのずれ落ちを防止することができる。また、可撓性の絡み防止部材２３４が、テンプルの耳当接部材２３３が取り付けられた部位２３１ａより基端側に位置する部位２３１ｂと、耳当接部材２３３の基端部２３３ａとを連結するように取り付けられており、眼鏡フレーム１００Ｄを外す際に、テンプルを上方へ持ち上げても、テンプルと耳当接部材２３３の基端部２３３ａとの間が絡み防止部材２３４で塞がれているため、髪の毛が図５の矢符Ｘの方向からテンプルと耳当接部材２３３との取り付け部位２３３ｂに入り込み難く、これに絡まることが抑制される。さらに、絡み防止部材２３４は、可撓性を有しており、耳当接部材２３３の揺動を阻害することがないため、眼鏡フレーム１００Ｄのずれ落ち抑制の機能を阻害することもない。以上のように、本実施形態に係る眼鏡フレーム１００Ｄによれば、眼鏡フレーム１００Ｄが前方側にずれることを抑止することができるため、鼻パッドを不要とすることが可能である。
【００５２】
その一方で、耳当接部材２３３の形状等（例えば、図５に示すように、眼鏡フレーム１００Ｄのずれ落ち抑制機能を高めるべく、耳当接部材２３３が耳の裏側からさらに耳の下側まで延びるような形状である場合等）によっては、眼鏡フレーム１００Ｄを装着し続けている内に、前枠が顔部に当接するほど後方に過度に引っ張られてしまうおそれがある。しかしながら、本実施形態に係る眼鏡フレーム１００Ｄによれば、テンプルに取り付けられた係止部材２Ｂを備え、この係止部材２Ｂがテンプルに対して上方又は下方に延出した延出部材２１を具備すると共に、テンプルに対して前後方向に位置調整可能に構成されている。従って、前枠と装着者の顔部とが適切な離間距離を隔てて対向するように眼鏡フレーム１００Ｄを装着した状態において、延出部材２１が装着者の耳の前端部に当接するように、延出部材２１（係止部材２Ｂ）の位置を前後方向に調整して位置決めすれば、延出部材２１によって眼鏡フレームは係止されるため、上記の装着状態（前枠と装着者の顔部とが適切な離間距離を隔てて対向する装着状態）よりもさらに後方に引っ張られることがない。
【００５３】
このように、本実施形態に係る眼鏡フレーム１００Ｄによっても、鼻パッドを具備しないために、鼻パッドによる圧迫痕の残存や化粧落ちの問題を解決できると共に、後方に過度に引っ張られることなく適切な装着状態を維持することが可能である。
【図面の簡単な説明】
【００５４】
【図１】図１は、本考案の第１実施形態に係る眼鏡フレームの概略構成を示す図であり、図１（ａ）は側面図を、図１（ｂ）は平面図を示す。
【図２】図２は、本考案の第２実施形態に係る眼鏡フレームが具備する耳当て部材２３Ａの概略構成を示す側面図である。
【図３】図３は、本考案の第３実施形態に係る眼鏡フレーム１００Ｂの概略構成を示す側面図である。
【図４】図４は、本考案の第４実施形態に係る眼鏡フレーム１００Ｃの概略構成を示す平面図である。
【図５】図５は、本考案の第５実施形態に係る眼鏡フレーム１００Ｄが具備するテンプル先端部の概略構成を示す側面図である。
【符号の説明】
【００５５】
１・・・ストレートテンプル
２・・・係止部材
１１・・・突出部
２１・・・延出部材
２２・・・係止部材本体
２３・・・耳当て部材
１００・・・眼鏡フレーム
２２１・・・係止孔
【図１】
0003115560.tif 000003
【図２】
0003115560.tif 000004
【図３】
0003115560.tif 000005
【図４】
0003115560.tif 000006
【図５】
0003115560.tif 000007